Podtech/llm-jp-corpus-v4-ja_patent huggingface dataset:
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
内視鏡と、
該内視鏡に隣接する視野を撮像するよう配置される画像センサアレイと、
前記視野を照らすよう配置される光源とを含み、
各センサは、他のセンサのピクセルアレイと分離されるピクセルアレイを含む、
デバイス。
【請求項２】
前記光源は、非構造光のみを生成する、請求項１に記載のデバイス。
【請求項３】
前記光源は、白色光を生成する、請求項１に記載のデバイス。
【請求項４】
前記内視鏡は、第１の端部分と、該第１の端部分と反対の第２の端部分とを有する、細長い部分を含み、
前記画像センサアレイは、前記第１の端部分に隣接して配置される、
請求項１に記載のデバイス。
【請求項５】
前記内視鏡は、第１の端部分と、該第１の端部分と反対の第２の端部分とを有する細長い部分を含み、
前記画像センサアレイは、前記第１の端部分に隣接して配置され、
前記光源は、白色光を生成する、
請求項１に記載のデバイス。
【請求項６】
前記内視鏡は、第１の端部分と、該第１の端部分と反対の第２の端部分とを有する、細長い部分を含み、
前記画像センサアレイは、前記第１の端部分に隣接して配置され、
当該デバイスは、
前記第１の端部分に隣接する視野から前記第１の端部分から変位させられる前記画像センサアレイに画像を送るよう配置される、ライトパイプを更に含む、
請求項１に記載のデバイス。
【請求項７】
前記内視鏡は、第１の端部分を有する細長い部分を含み、
前記画像センサアレイは、前記第１の端部分に隣接して配置され、
前記細長い部分の前記第１の端部分の反対側の前記内視鏡の端は、機械的手術アームとの機械的連結のために構成される、
請求項１に記載のデバイス。
【請求項８】
前記内視鏡は、第１の端部分と、該第１の端部分と反対の第２の端部分とを有する、細長い部分を含み、
前記画像センサアレイは、前記第１の端部分から変位させられて配置され、
前記第２の端部分は、機械的手術アームとの機械的連結に適し、
前記第１の端部分に隣接する視野から前記第１の端部分から変位させられる前記画像センサアレイに画像を送るよう配置されるライトパイプを更に含む、
請求項１に記載のデバイス。
【請求項９】
前記画像センサアレイを用いて取り込まれる画像情報に基づき標的物体の三次元場所を決定するように構成される、コントローラを更に含む、請求項１に記載のデバイス。
【請求項１０】
前記標的物体の前記三次元場所は、少なくとも部分的に、特定されるピクセルと前記画像センサアレイの物理的特性との間のピクセル距離関係に基づき、決定される、請求項９に記載のデバイス。
【請求項１１】
前記コントローラは、同じ標的物体からの投影によって照らされる前記画像センサアレイの多数の画像センサの各々においてピクセルを特定するように構成される、請求項９に記載のデバイス。
【請求項１２】
前記ピクセルを特定することは、前記画像センサアレイの多数のアレイの各々において同じ標的物体の画像投影を整合させることを含む、請求項１１に記載のデバイス。
【請求項１３】
前記コントローラは、
同じ標的物体からの投影によって照らされる多数の画像センサの各々におけるピクセルを特定するように構成され、
ピクセルを特定することは、多数の画像センサの各々における前記同じ標的物体を整合させるために相関プロセスを用いることを含み、
前記三次元場所を決定することは、少なくとも部分的に、少なくとも３つの特定されるピクセルの相対的な位置に基づき、少なくとも１つの次元における前記標的物体の推定場所を決定することを含み、
受け入れ可能な許容差よりも多く異なる前記決定される推定場所に応答して、画像投影の整合を精緻化するよう前記相関プロセスを繰り返す、
請求項９に記載のデバイス。
【請求項１４】
前記コントローラは、同じ標的物体からの投影によって照らされる多数の画像センサの各々の画像センサにおけるピクセルを特定するように構成され、
ピクセルを特定することは、相関プロセスを用いて、多数の画像センサの各々の画像センサにおける前記同じ標的物体の画像投影を整合させることを含み、
前記三次元場所を決定することは、少なくとも３つの特定されるピクセルの相対的な位置に基づき、前記センサの平面と概ね平行な少なくとも１つの物理的次元における前記標的物体の推定場所を決定することを含み、
受け入れ可能な許容差内に整合する前記決定される推定場所に応答して、少なくとも部分的に、前記少なくとも１つの物理的次元における前記標的物体の前記決定される物理的場所に基づき、前記センサの前記平面に対して概ね垂直な少なくとも１つの物理的次元において前記標的物体の推定される物理的場所を決定する、
請求項９に記載のデバイス。
【請求項１５】
定量的三次元撮像センサを備える少なくとも１つの内視鏡と、
非構造的な可視的な照明光をもたらす照明源と、
定量的三次元画像情報を生成するために前記定量的三次元撮像センサから受け取る画像データを処理するよう構成されるプロセッサと、
定量的三次元画像情報を表示する視認システムとを含む、
手術システム。
【請求項１６】
前記視認システムは、１つ又はそれよりも多くの自動立体視三次元ディスプレイで構成される、請求項１５に記載の手術システム。
【請求項１７】
近接閾を特定する手段と、
手術シーン内から少なくとも２つの関心の領域を特定する手段と、
前記特定される近接閾より下の前記少なくとも２つの特定される物体の間の距離に応答して警報を提供する手段とを更に含む、
請求項１５に記載の手術システム。
【請求項１８】
手術シーン内の標的物体を特定する手段と、
前記標的物体の三次元モデルを創るコンピュータ実行可能な命令を含む持続性コンピュータ可読記憶装置と、
前記三次元モデルのビューを図式的に操作する手段とを更に含む、
請求項１５に記載の手術システム。
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
封止されたバイアルと結合するように構成されたアダプタであって、該アダプタが、
コネクタインターフェースと、
前記コネクタインターフェースと流体連通状態にあるアクセス流路と、
調整器アセンブリであって、
前記アダプタを取り囲む周囲環境と流体連通状態にある第１の調整器入口；
第１の調整器管腔；
前記周囲環境と流体連通状態にある第２の調整器入口；
第２の調整器管腔；
前記第１の調整器管腔と流体連通することができ、かつ前記第１の調整器管腔内に流入する流体をろ過するように構成された、第１のフィルタ；
前記第２の調整器管腔と流体連通状態にあり、かつ前記第２の調整器管腔から、前記周囲環境に流入する流体をろ過するように構成された、第２のフィルタ；及び
前記第１の調整器管腔と流体連通状態にある調整器弁であって、該調整器弁は、周囲環境から前記第１の調整器管腔中への流体の通過を許容するように構成され、前記調整器弁は、前記バイアルの中から前記第１のフィルタへの流体の通過を妨げるように構成されている、調整器弁；
を備える調整器アセンブリと、
近位端及び遠位端を備える穿孔部材であって、前記遠位端は穿孔用先端部を備える、穿孔部材と、
少なくとも部分的に前記穿孔部材内に位置するとともに、前記第１の調整器管腔と流体連通状態にある第１の調整器流路開口部を備える、調整器流路と、
を備えることを特徴とする、アダプタ。
【請求項２】
請求項１に記載のアダプタと、封止されたバイアルと、の組み合わせ。
【請求項３】
前記調整器弁が、バルブステム及びフラップ部分を備えることを特徴とする請求項１に記載のアダプタ。
【請求項４】
前記フラップ部分が、凹側と、凸側と、を備えることを特徴とする請求項３に記載のアダプタ。
【請求項５】
前記第１の調整器管腔と、前記第２の調整器管腔と、が互いに流体連通状態にあることを特徴とする請求項１に記載のアダプタ。
【請求項６】
前記調整器弁が、前記調整器管腔の中に挿入されるプラグ部分の中に配置されることを特徴とする請求項１に記載のアダプタ。
【請求項７】
前記プラグ部分が柔軟であることを特徴とする請求項６に記載のアダプタ。
【請求項８】
前記プラグ部分が、前記調整器管腔の中に、摩擦嵌合によって保持されていることを特徴とする請求項７に記載のアダプタ。
【請求項９】
キャップ部分が、前記プラグ部分が前記調整器管腔中に挿入される程度を制限することを特徴とする請求項７に記載のアダプタ。
【請求項１０】
前記第１のフィルタは、前記プラグ部分の中に配置されていることを特徴とする請求項９に記載のアダプタ。
【請求項１１】
前記第１のフィルタは、前記第１の調整器管腔内に配置されていることを特徴とする請求項１に記載のアダプタ。
【請求項１２】
前記第２のフィルタは、前記第２の調整器管腔内に配置されていることを特徴とする請求項１１に記載のアダプタ。
【請求項１３】
前記第１及び第２のフィルタは、前記調整器流路に略垂直である共通のラインに沿って配置されていることを特徴とする請求項１に記載のアダプタ。
【請求項１４】
前記調整器弁は、前記共通のラインに沿って配置されていることを特徴とする請求項１３に記載のアダプタ。
【請求項１５】
前記調整器アセンブリは前記第２の調整器管腔から前記周囲環境中への流体の通過を許容するように構成され、前記調整器アセンブリは前記周囲環境から前記第２の調整器管腔中への流体の通過を許容するように構成されていることを特徴とする請求項１に記載のアダプタ。
【請求項１６】
前記調整器アセンブリは、前記第２の調整器管腔と前記周囲環境との間に障壁を備えないことを特徴とする請求項１に記載のアダプタ。
【請求項１７】
バイアルアダプタを製造する方法であって、
コネクタインターフェースを提供するステップと、
前記コネクタインターフェースと流体連通状態にあるアクセス流路を提供するステップと、
調整器アセンブリを提供するステップであって、該調整器アセンブリが：
前記アダプタを取り囲む周囲環境と流体連通状態にある第１の調整器入口；
前記周囲環境と流体連通状態にある第２の調整器入口；
前記バイアルアダプタの中に流入する流体をろ過するように構成された第１のフィルタ；
前記バイアルアダプタから、前記周囲環境の中に通過する流体をろ過するように構成された第２のフィルタ；
前記周囲環境から、前記バイアルアダプタの中への、流体の通過を許容するように構成された調整器弁であって、前記調整器弁は前記バイアル内から前記第１のフィルタへの流体の通過を抑制するように構成されている、調整器弁；
を備える、前記調整器アセンブリを提供するステップと、
近位端及び遠位端を備える穿孔部材を提供するステップであって、前記遠位端が穿孔用先端部を備える、前記穿孔部材を提供するステップと、
少なくとも部分的に前記穿孔部材内に配置され、第１の調整器流路開口部を備える調整器流路を提供するステップであって、前記調整器流路が前記第２のフィルタ及び前記調整器弁と流体連通状態にある、前記調整器流路を提供するステップと、
を備える、方法。
【請求項１８】
前記第１及び第２の調整器入口が、前記調整器流路に対して略垂直である共通のラインに沿って提供されていることを特徴とする請求項１７に記載の方法。
【請求項１９】
前記調整器弁が、前記共通のラインに沿って提供されていることを特徴とする請求項１８に記載の方法。
【請求項２０】
前記調整器弁が、前記バイアル内から前記第１のフィルタへの流体の通過を妨げるように構成されていることを特徴とする請求項１７に記載の方法。
【請求項２１】
前記調整器弁は、バルブステム及びフラップ部分を備えることを特徴とする請求項１７に記載の方法。
【請求項２２】
前記フラップ部分は、凹側と、凸側と、を有することを特徴とする請求項２１に記載の方法。
【請求項２３】
前記調整器アセンブリは前記第２の調整器管腔から前記周囲環境中への流体の通過を許容するように構成され、前記調整器アセンブリは前記周囲環境から前記第２の調整器管腔中への流体の通過を許容するように構成されていることを特徴とする請求項１７に記載の方法。
【請求項２４】
前記調整器アセンブリは、前記第２の調整器管腔と前記周囲環境との間に配置された障壁を備えないことを特徴とする請求項１７に記載のアダプタ。
【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
テキスタイルマザーボードであって、上に少なくとも１つのテキスタイル周辺要素及び１つの交換可能な中央処理ユニットが組み込まれた少なくとも１つのテキスタイル基板層で構成され、前記少なくとも１つのテキスタイル周辺要素は、導電性がない区画と最大導電度の区画とを有し、
前記テキスタイルマザーボードは、第１の論理ゲートとして構成された少なくとも１つのテキスタイル周辺要素を有し、このテキスタイル周辺要素には、第２の論理ゲートとして構成されたもう１つのテキスタイル周辺要素が相互接続されており、前記各テキスタイル周辺要素は、少なくとも１つの極及び１つの投に適合しており、かつ前記テキスタイル周辺要素の各々は、前記中央処理ユニットが、ユーザにより起動されている前記テキスタイル周辺要素を判定することができるように、組合せられていることを特徴とするテキスタイルマザーボード。
【請求項２】
前記テキスタイル周辺要素の数および相互接続は、どちらも、組み合わせ論理に基づいていることを特徴とする、請求項１に記載のテキスタイルマザーボード。
【請求項３】
前記テキスタイル周辺要素はテキスタイルスイッチであることを特徴とする、請求項１に記載のテキスタイルマザーボード。
【請求項４】
前記テキスタイルスイッチの数は、各テキスタイルスイッチの極の数及び投の数を基に、２＾Ｎ−１なる表式を使用して選択され、Ｎは、利用可能な入力の数であることを特徴とする、請求項３に記載のテキスタイルマザーボード。
【請求項５】
前記テキスタイルスイッチの最大導電度の前記区画は、前記分離基板層の穿孔に対応していることを特徴とする、請求項４に記載のテキスタイルマザーボード。
【請求項６】
前記最大導電度の前記区画は、特定のパタンに従って配置されていることを特徴とする、請求項５に記載のテキスタイルマザーボード。
【請求項７】
学習を刺激するシステムであって、前記システムは、請求項１〜６のいずれか１項に記載のテキスタイルマザーボードと、テキスタイル相互通信モジュールと、電子装置とによって構成され、前記電子装置は、前記テキスタイルマザーボードがユーザによって操作されているときに、前記テキスタイルマザーボードから入力される信号を受信するように構成されていることを特徴とするシステム。
【請求項８】
前記テキスタイルマザーボードは、衣服の中に組み込まれ、前記スイッチは、前記装置へのコマンドが可能であることを特徴とする、請求項７に記載のシステム。
【請求項９】
請求項１〜６のいずれか１項に記載のテキスタイルマザーボードで構成された、監視を行うためのシステムであって、前記基板層は、衣服、またはベッドルームテキスタイル、またはベッドリネンとして構成されていることを特徴とするシステム。
【請求項１０】
少なくとも１つの導電性テキスタイル基板材料と分離基板材料とで構成されるテキスタイルスイッチであって、前記分離基板材料は、最大導電度の区画と導電性がない区画とを画定することができるパタンを組み込んでいるとともに、少なくとも１つの極及び１つの投を組み込んでおり、論理ゲートとして構成されていることを特徴とするテキスタイルスイッチ。
【請求項１１】
前記導電性基板層と、前記分離基板層の最大導電度の区画とは、数が一致していることを特徴とする、請求項１０に記載のテキスタイルスイッチ。
【請求項１２】
追加の導電性基板層を組み込んでいることを特徴とする、請求項１１に記載のテキスタイルスイッチ。
【請求項１３】
前記分離基板層は、前記導電性基板層の間に配置されていることを特徴とする、請求項１２に記載のテキスタイルスイッチ。
【請求項１４】
前記第１の基板層は、複数の導電性区画を組み込んでいることを特徴とする、請求項１３に記載のテキスタイルスイッチ。
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
光ビーム（２１０）を発生させるように構成された光源（１１０）と、
前記光源と眼内照明装置（１２０）との間に配置されたフィルタホイール（３００）であって、
実質的にすべての波長が妨げられずに通過するのを可能にする透明領域（３０２）と、
前記眼内照明装置への前記光ビームの第１波長範囲の透過を制限するように構成された第１フィルタリング領域（３０４）と、
前記眼内照明装置への前記光ビームの第２波長範囲の透過を制限するように構成された第２フィルタリング領域（３０６）と、
を含むフィルタホイールと、
前記光ビームが前記フィルタホイールの前記透明領域、前記第１フィルタリング領域および前記第２フィルタリング領域のうちの少なくとも１つを通過するように、前記フィルタホイールを選択的に移動させるように構成されたアクチュエータ（２２０）と、
前記アクチュエータ（２２０）と通信するコンピューティングデバイス（１３０）であって、
眼内の眼内照明装置（１２０）による青色光の通過をモニタリングすることと、
前記眼内照明装置（１２０）による青色光の通過をモニタリングすることに応じて、前記光ビームが、前記透明領域（３０２）、前記第１フィルタリング領域（３０４）および前記第２フィルタリング領域（３０６）のうちの少なくとも１つを通過するように、前記アクチュエータ（２２０）が前記フィルタホイール（３００）を選択的に移動させるように前記アクチュエータに制御信号を送信する、ように構成されるコンピューティングデバイスと、を備える眼科手術システム（１００）。
【請求項２】
前記第１フィルタリング領域が、前記透明領域（３０２）に隣接して配置されている、請求項１に記載の眼科手術システム。
【請求項３】
前記第２フィルタリング領域（３０６）が、前記透明領域（３０２）に隣接して配置されている、請求項２に記載の眼科手術システム。
【請求項４】
前記透明領域（３０２）が、前記第１フィルタリング領域（３０４）と前記第２フィルタリング領域（３０６）との間に延在する、請求項３に記載の眼科手術システム。
【請求項５】
前記第１波長範囲および前記第２波長範囲のうちの少なくとも一方が、前記眼内照明装置（１２０）への青色光の透過を制限するように選択されている、請求項１に記載の眼科手術システム。
【請求項６】
前記第１波長範囲が、およそ３８０ｎｍ〜およそ４７５ｎｍの波長を含む、請求項５に記載の眼科手術システム。
【請求項７】
前記第２波長範囲が、およそ３８０ｎｍ〜およそ５１５ｎｍの波長を含む、請求項６に記載の眼科手術システム。
【請求項８】
前記アクチュエータ（２２０）が、前記フィルタホイール（３００）を漸進的に移動させるように構成されている、請求項１に記載の眼科手術システム。
【請求項９】
前記アクチュエータと通信する前記コンピューティングデバイス（１３０）は、前記光ビームが前記クリア領域（３０２）の一部分と前記第１フィルタリング領域（３０４）および前記第２フィルタリング領域（３９６）のうちの少なくとも１つの一部分とに実質的に通過する位置に、選択的に前記フィルタホイール（３００）を移動させるように、前記アクチュエータ（２２０）に制御信号を提供するようにさらに構成される、請求項１に記載の眼科手術システム。
【請求項１０】
前記コンピューティングデバイス（１３０）が、ビーム位置、ビーム構成、露出時間および視界不良のうちの少なくとも１つに基づいて、前記アクチュエータ（２２０）に前記制御信号を提供するように構成されている、請求項９に記載の眼科手術システム。
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
a. 筺体;
b. 気流を提供する空気分配機構;
c. その表面上に触媒を有する通気性基材構造;
d. 紫外線（UV）光源
を含む非水和精製過酸化水素ガス(PHPG)を生成するためのデバイスであって、
該気流は、該通気性基材構造を通り;かつ
該デバイスはPHPGを生成し、作動中にPHPGを該筺体から外へ誘導する
ことを特徴とする該デバイス。
【請求項２】
該気流が14°より大きい該基材構造に対する入射角を含む請求項1記載のデバイス。
【請求項３】
該気流が少なくとも5%の湿度を有する空気を含む請求項1記載のデバイス。
【請求項４】
該通気性基材構造が、約5nmと約750nmとの間の厚さである請求項1記載のデバイス。
【請求項５】
該通気性基材構造が、10%と60%との間の開口面積のパーセンテージを有するメッシュである請求項1記載のデバイス。
【請求項６】
該紫外線が、該基材の表面にて、1平方インチ当たり0.1ワットと1平方インチ当たり150ワットとの間の強度を有する光で、該通気性基材構造を照らすことを特徴とする請求項1記載のデバイス。
【請求項７】
該強度が、1平方インチ当たり2.5ワットと7.4ワットとの間であることを特徴とする請求項6記載のデバイス。
【請求項８】
該紫外線が、190nmと460nmとの間にある波長を含むことを特徴とする請求項1記載のデバイス。
【請求項９】
さらに、188nm以下の波長を有する紫外線光を遮断するフィルターを含む請求項8記載のデバイス。
【請求項１０】
紫外線の該波長が340nmと380nmとの間にあることを特徴とする請求項8記載のデバイス。
【請求項１１】
少なくとも90%の該光のパワーが、340nmと380nmとの間で放射されることを特徴とする請求項10記載のデバイス。
【請求項１２】
1%未満の該光が、280nmと315nmとの間の波長を有する紫外線B放射であることを特徴とする請求項8記載のデバイス。
【請求項１３】
さらに、窒素酸化物(NOx)、硫黄酸化物 (SOx)、揮発性有機分子 (VOM)、家庭のほこり、花粉、イエダニ残屑、カビ胞子、ペットの鱗屑、煙、スモッグおよび細菌よりなる群から選択される、該通気性基材構造を通って流れることに先立ち該気流からの1以上の汚染物質を除去するための1以上のフィルターを含むことを特徴とする請求項1記載のデバイス。
【請求項１４】
該気流が、5ナノメートル/秒(nm/s)〜10,000nm/sの流速で該通気性基材構造を通って流れることを特徴とする請求項1記載のデバイス。
【請求項１５】
該通気性基材構造が、さらに、吸湿性添加剤を含み、該吸湿性添加剤が、重炭酸ナトリウム、重炭酸カリウム、炭酸ナトリウム、炭酸カリウム、炭酸マグネシウム、重炭酸マグネシウム、水酸化ナトリウム、水酸化カリウム、水酸化マグネシウム、塩化亜鉛、塩化カルシウム、塩化マグネシウム、リン酸ナトリウム、リン酸カリウム、リン酸マグネシウム、カーナライト、クエン酸鉄アンモニウム、ナイロン、アクリロニトリル・ブタジエン・スチレン(ABS)、ポリカーボネート、セルロースおよびポリ(メタクリル酸メチル)よりなる群から選択される請求項1記載のデバイス。
【請求項１６】
該通気性基材構造が、該触媒表面にて7.0を超えるpHを有する請求項1記載のデバイス。
【請求項１７】
a. その表面上に触媒を有する通気性基材構造;および
b. 紫外線（UV）光源
を含む、加熱、換気および空調(HVAC)システムに取付けられた場合の非水和精製過酸化水素ガス(PHPG)を生成するためのデバイスであって、
空気がHVACシステムから該通気性基材構造を通って流れ、該デバイスがPHPGを生成し、作動中に、加熱、換気および空調された空間にある場合に、その表面上に触媒を有する該通気性基材構造から離れてPHPGを誘導することを特徴とする該デバイス。
【請求項１８】
該気流が少なくとも14°である該基材構造に対する入射角を含む請求項17記載のデバイス。
【請求項１９】
該通気性基材構造が750nm未満である請求項17記載のデバイス。
【請求項２０】
該通気性基材構造が、20%と60%との間の開口面積のパーセンテージを有するメッシュである請求項17記載のデバイス。
【請求項２１】
さらに、188nm以下の波長を有する紫外線光を遮断するフィルターを含む請求項17記載のデバイス。
【請求項２２】
該空気が、１秒未満の該触媒表面上の滞留時間を有する請求項17記載のデバイス。
【請求項２３】
a. 10%と60%との間の開口面積のパーセンテージを有するメッシュ;および
b. 該メッシュの表面上に配置された触媒、ここに、該触媒は、二酸化チタン、銅、酸化銅、亜鉛、酸化亜鉛、鉄、酸化鉄、タングステン、三酸化タングステンおよびそれらの混合物よりなる群から選択される金属または金属酸化物触媒である、
を含む通気性基材構造。
【請求項２４】
該メッシュが、約5nmと約750nmとの間の厚さである請求項23記載の通気性基材構造。
【請求項２５】
該触媒が、該触媒表面にて7.0を超えるpHを有する請求項23記載の通気性基材構造。
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
【化１】
2017518982.tif 000001
によって表されるＣ２’ｅｐｉＡｍＢまたはその薬学的に許容される塩。
【請求項２】
有効量の請求項１に記載のＣ２’ｅｐｉＡｍＢまたはその薬学的に許容される塩を含む、酵母菌または真菌感染を阻害するための薬学的組成物。
【請求項３】
請求項１に記載のＣ２’ｅｐｉＡｍＢまたはその薬学的に許容される塩を、治療的に有効な量で含む、酵母菌または真菌感染の治療用薬学的組成物。
【請求項４】
局所投与される、請求項３に記載の薬学的組成物。
【請求項５】
全身投与される、請求項３に記載の薬学的組成物。
【請求項６】
経口投与される、請求項３に記載の薬学的組成物。
【請求項７】
静脈内投与される、請求項３に記載の薬学的組成物。
【請求項８】
筋肉内投与される、請求項３に記載の薬学的組成物。
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
進行した非アルコール性脂肪性肝炎（ＮＡＳＨ）と診断された患者を治療するために使用される組成物であって、
前記組成物は、式（Ｉ）の化合物、前記式（Ｉ）の化合物の代謝産物、前記式（Ｉ）の化合物のエステル、前記式（Ｉ）の化合物のエステルの代謝産物、及び前記したものそれぞれの薬学的に許容される塩からなる群から選択された化合物を含む、組成物。
【化１】
2017518967.tif 000001
（式中、ｍは２から５の整数であり、ｎは３から８の整数であり、Ｘ１及びＸ２は、各々独立的に硫黄、酸素、スルフィニル基、又は、スルホニル基を示し、但し、Ｘ１及びＸ２は、同時に酸素ではない）
【請求項２】
前記進行したＮＡＳＨと診断された患者は、肝線維症、クモ状血管腫、腹水症、脾腫、丈夫な肝臓の境界、手掌紅斑、アステリクシス、又は、門脈圧亢進症のうちの１つ以上を示す、請求項１に記載の組成物。
【請求項３】
前記治療は進行したＮＡＳＨに罹患している患者における肝線維症を減少させるためのものである、請求項１又は２に記載の組成物。
【請求項４】
前記進行したＮＡＳＨと診断された患者は、肝臓の瘢痕化、肝硬変、又は、肝細胞癌（ＨＣＣ）のうちの１つ以上を示す、請求項１〜３のいずれか１項に記載の組成物。
【請求項５】
前記治療は進行したＮＡＳＨに罹患している患者における肝臓の瘢痕化を減少させるためのものである、請求項４に記載の組成物。
【請求項６】
前記患者は、小児患者である、請求項１〜５のいずれか１項に記載の組成物。
【請求項７】
前記式（Ｉ）の化合物は、式（ＩＡ）の化合物である、請求項１〜６のいずれか１項に記載の組成物。
【化２】
2017518967.tif 000002
【請求項８】
前記化合物は、斜方晶系結晶形で存在する、請求項７に記載の組成物。
【請求項９】
前記式（Ｉ）の化合物の代謝産物は、式（ＩＢ）の化合物である、請求項１〜６のいずれか１項に記載の組成物。
【化３】
2017518967.tif 000003
【請求項１０】
前記化合物は、１つ以上の薬学的に許容される成分を有する治療組成物に形成される、請求項１〜９のいずれか１項に記載の組成物。
【請求項１１】
前記化合物が経口投与される、請求項１〜１０のいずれか１項に記載の組成物。
【請求項１２】
前記化合物は、錠剤又はカプセルとして投与される、請求項１１に記載の組成物。
【請求項１３】
前記化合物は、液体剤形として投与される、請求項１〜１１のいずれか１項に記載の組成物。
【請求項１４】
前記化合物は、約１００ｍｇ／日から約４、０００ｍｇ／日の範囲の量を１回、２回、又は３回に分けて投与される、請求項１〜１３のいずれか１項に記載の組成物。
【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
周囲温度における１つ以上の血小板の実質的に安定した保存のための製剤であって、該
製剤は、
（ｉ）ｐＨ緩衝液；
（ｉｉ）抗凝血剤；
（ｉｉｉ）（ａ）ハロゲン化された二糖類誘導体；または、（ｂ）少なくとも１つの非還元糖またはポリオール；および機能性炭水化物；のいずれか一方、を含み、
１つ以上の血小板は少なくとも６時間の間安定化される、製剤。
【請求項２】
１つ以上の血小板は、（ａ）不活性化された状態で安定化される、（ｂ）血液サンプル中に存在する、または（ｃ）血液サンプルから単離されている、請求項１に記載の製剤。
【請求項３】
前記ｐＨ緩衝液は、クエン酸、トリスＨＣｌ、または２ｘリン酸緩衝生理食塩水である、請求項１または２のいずれか１項に記載の製剤。
【請求項４】
抗凝血剤は、ヒルジンまたは、ＥＤＴＡである請求項１または２に記載の製剤。
【請求項５】
ハロゲン化された二糖類誘導体は、スクラロース（１，６−ジクロロ−１，６−ジデオ
キシ−β−Ｄ−フルクトフラノシル−４−クロロ−４−デオキシ−α−Ｄ−ガラクトピラ
ノシド）、トリクロロナートマルトース、１，６−ジクロロ−１，６−ジデオキシ−β−
Ｄ−フルクトフラノシル−４−クロロ−４−デオキシ−６−Ｏ−モノドデカノアート−α
−Ｄ−ガラクトピラノシド、１，６−シクロロ−１，６−ジデオキシ−β−Ｄ−フルクト
フラノシル−４−クロロ−４−デオキシ−６−Ｏ−モノテトラデカノアート−α−Ｄ−ガ
ラクトピラノシド、およびそれらの組み合わせから成る群から選択される、請求項１または２に記載の製剤。
【請求項６】
製剤は、本質的にヒルジンおよびスクラロース（１，６−ジクロロ−１，６−ジデオキ
シ−β−Ｄ−フルクトフラノシル−４−クロロ−４−デオキシ−α−Ｄ−ガラクトピラノ
シド）からなる、請求項１に記載の製剤。
【請求項７】
製剤は、アドニトール、グリコール、グリセロール、エリスリトール、トレイトール、アラビトール、キシリトール、リビトール、マンニトール、ソルビトール、ガラクチトール、フシトール、イジトールイノシトール、およびそれらの組み合わせからなる群から選択されるポリオールを含む、請求項１乃至３のいずれか１項に記載の製剤。
【請求項８】
製剤は、五炭糖ポリオールまたは六炭糖ポリオールを含む、請求項１乃至３のいずれか１項に記載の製剤。
【請求項９】
五炭糖ポリオールは、アドニトールである、請求項８に記載の製剤。
【請求項１０】
機能性炭水化物は、オクタ硫酸スクロース、またはスクラルファートである、請求項７乃至９のいずれか１項に記載の製剤。
【請求項１１】
非還元糖は、トレハロースまたは、スクロースである、請求項７乃至１０のいずれか１項に記載の製剤。
【請求項１２】
製品であって、
採血管内または、真空の採血管内に収容された請求項１乃至１１のいずれか１つの製剤を含む、製品。
【請求項１３】
周囲温度において１つ以上の血小板を実質的に安定して保存する方法であって、該方法
は：被検体からの１つ以上の血小板を、請求項１乃至１１のうちいずれか１つの製剤と混合する工程を含み、１つ以上の血小板は少なくとも６時間の間安定化される、方法。
【請求項１４】
血小板の凝集を促進するために活性化剤を加えることによって、１つ以上の血小板を活
性化させる工程をさらに含む、請求項１３に記載の方法。
【請求項１５】
活性化剤は、ＡＤＰである、請求項１４に記載の方法。
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
周囲温度における血液サンプル中の、天然の、未変性の状態で１つ以上の核酸分子を実質的に安定して保存するための製剤であって、１つ以上の核酸分子は、少なくとも３日間の室温での保存後に、汚染する細胞内核酸分子が実質的にない、天然の、未変性の状態で安定化され、該製剤は：
（ｉ）ｐＨ緩衝液；
（ｉｉ）ホスファターゼ阻害剤；
（ｉｉｉ）プリン；
（ｉｖ）双性イオン化合物、陽イオン化合物またはそれらの組み合わせ；および
（ｖ）（ｖ．ａ）アポトーシス阻害剤またはカスパーゼ阻害剤、及び／又は
（ｖ．ｂ）ヌクレアーゼ阻害剤、から選択される化合物を含む、製剤。
【請求項２】
周囲温度における、血液サンプル中の天然の、未変性のコンフォメーションでの１つ以上のポリペプチドの実質的に安定した保存のための製剤であって、１つ以上のポリペプチドは、少なくとも３日間の周囲温度での保存後に、汚染する細胞内ポリペプチドが実質的にない、天然の、未変性のコンフォメーションで安定化され、該製剤は：
（ｉ）ｐＨ緩衝液；
（ｉｉ）非還元糖；
（ｉｉｉ）三糖；および
（ｉｖ）水溶性ポリマー、陽イオン化合物、双性イオン化合物、ホスファターゼ阻害剤、またはそれらの組み合わせの１つ以上を含む、製剤。
【請求項３】
ホスファターゼ阻害剤は、２−グリセロールリン酸である、請求項１または２に記載の製剤。
【請求項４】
ｉ）双性イオン化合物は、四級の分子内塩、２−（ベンジル（２−ヒドロキシエチル）（メチル）アンモニオ）酢酸塩、Ｎ，Ｎ−ジメチル−Ｎ−（２−ヒドロキシエチル）−３−アンモニウム−プロピオン酸塩、またはＮ−エチル−ピペリジニウム−４−ブチルスルホン酸塩である；あるいは式（Ｉ）の化合物であり：
【化１】
2017518996.tif 000001
式中、Ｒ１、Ｒ２、およびＲ３は、非置換または置換のアルキル、非置換または置換のアリール、非置換または置換のアリールアルキルから独立して選択される、またはＲ１およびＲ２は随意に環を形成し、ＹはＣＨ２、ＣＨ（Ａ）、ＣＨ（Ａ）−ＣＨ（Ａ）、ＣＨ（Ａ）−ＣＨ（Ａ）−ＣＨ（Ａ）であり、ここで、Ａは非置換または置換のアルキル、アリール、アリールアルキル、または２０の自然発生のアミノ酸の１つにおいて典型的に発見される側鎖であり；および、ＺはＣＯ２−、ＳＯ３−、またはＯＰＯ３−である；あるいは
ｉｉ）陽イオン化合物は、以下の式の化合物からなる群から選択され：
（ａ）式（ＩＩ）の化合物
【化２】
2017518996.tif 000002
式中、Ｒ１、Ｒ２、およびＲ３は、非置換または置換のアルキル、非置換または置換のアリール、非置換または置換のアリールアルキルから独立して選択される、またはＲ１およびＲ２は随意に環を形成し、ＹはＣＨ２、ＣＨ（Ａ）、ＣＨ（Ａ）−ＣＨ（Ａ）、ＣＨ（Ａ）−ＣＨ（Ａ）−ＣＨ（Ａ）であり、ここで、Ａは非置換または置換のアルキル、アリール、アリールアルキル、または２０の自然発生のアミノ酸の１つにおいて典型的に発見される側鎖であり；ＺはＣＯ２Ａであり；およびＸは薬学的に許容可能な陰イオンであり；
（ｂ）式（ＩＩＩ）の化合物：
【化３】
2017518996.tif 000003
式中、Ｒ１、Ｒ２、Ｒ３、およびＲ４は、非置換または置換のアルキル、非置換または置換のアリール、非置換または置換のアリールアルキルから独立して選択される、またはＲ１およびＲ２は随意に環を形成し、ＹはＣＨ２、ＣＨ（Ａ）、ＣＨ（Ａ）−ＣＨ（Ａ）、ＣＨ（Ａ）−ＣＨ（Ａ）−ＣＨ（Ａ）であり、ここで、Ａは非置換または置換のアルキル、アリール、アリールアルキル、または２０の自然発生のアミノ酸の１つにおいて典型的に発見される側鎖であり；およびＸは薬学的に許容可能な陰イオンであり；および
（ｃ）式（ＩＶ）の化合物：
【化４】
2017518996.tif 000004
式中、Ｒ１とＲ２は、非置換または置換のアルキル、非置換または置換のアリール、非置換または置換のアリールアルキルから独立して選択され；および、Ｘは薬学的に許容可能な陰イオンである；
請求項１乃至３のいずれか１項に記載の製剤。
【請求項５】
式（Ｉ）、式（ＩＩ）または式（ＩＩＩ）の化合物のＲ１およびＲ２は、モルフォリノ環、ピロリジニウム環、ピペリジニウム環またはオキサジニウム環を形成する、請求項４に記載の製剤。
【請求項６】
ヌクレアーゼ阻害剤はアウリントリカルボン酸であり；
プリンはアデニンであり；及び／又は
カスパーゼ阻害剤はＱ−ＶＤ−ＯＰＨである、請求項１および３乃至５のいずれか１項に記載の製剤。
【請求項７】
抗生物質、プリン誘導体、およびそれらの組み合わせからなる群から選択される薬剤をさらに含む、請求項１および３乃至６のいずれか１項に記載の製剤。
【請求項８】
抗生物質は、リファンピシン、アクチノマイシンＤ、５−ヒドロキシ−１，４−ナフトキノン、およびそれらの組み合わせからなる群から選択され；
プリン誘導体は、５−メルカプトプリンである、請求項７に記載の製剤。
【請求項９】
１つ以上の核酸分子は循環フリーＤＮＡ分子である、請求項１および３乃至８のいずれか１項に記載の製剤。
【請求項１０】
非還元糖は、スクロースであり；
三糖は、マルトトリオース、イソマルトトリオース、ラフィノース、メレジトース、ニゲロトリオース、およびそれらの組み合わせからなる群から選択され；及び／又は
水溶性ポリマーは、ポリビニルアルコールである、請求項２に記載の製剤。
【請求項１１】
請求項１および３乃至９のいずれか１項の製剤と混合された、１つ以上の精製された、未変性の核酸分子を含む、実質的に安定して保存された、１つ以上の精製された、未変性の核酸分子の組成物。
【請求項１２】
請求項２乃至５および１０のいずれか１項の製剤と混合された、１つ以上の精製された、未変性のポリペプチドを含む、実質的に安定して保存された、１つ以上の精製された、未変性のポリペプチドの組成物。
【請求項１３】
周囲温度において、血液サンプル中の天然の、未変性の状態で１つ以上の核酸分子を実質的に安定して保存する方法であって、該方法は：
被験体から採取した血液のサンプルを、請求項１および３乃至９のいずれか１項の製剤と混合する工程を含み、ここで１つ以上の核酸分子は、少なくとも３日間の室温での保存後に、汚染する細胞内核酸分子が実質的にない、天然の、未変性の状態で残存する、方法。
【請求項１４】
核酸分子は循環フリーＤＮＡ分子である、請求項１３に記載の方法。
【請求項１５】
周囲温度における、血液サンプル中の天然の、未変性のコンフォメーションでの１つ以上のポリペプチドの実質的に安定した保存のための製剤であって、１つ以上のポリペプチドは、少なくとも３日間の周囲温度での保存後に、汚染する細胞内ポリペプチドが実質的にない、天然の、未変性のコンフォメーションで安定化され、該製剤は：
（ｉ）ｐＨ緩衝液；
（ｉｉ）非イオン性デンプン；および
（ｉｉｉ）ポリオール、ホスファターゼ阻害剤、アミノ酸またはそれらの組み合わせの１つ以上を含む、製剤。
【手続補正書】
【提出日】平成30年1月12日(2018.1.12)
【手続補正１】
【補正対象書類名】明細書
【補正対象項目名】００５１
【補正方法】変更
【補正の内容】
【００５１】
更なる実施形態も可能である。例えば、認識された交通シチュエーション、乃至、追越シチュエーションは、様々なタイプの車両、及び／或いは、プライオリティも考慮することができる。例えば、車両１は、出動中の救急車、及び／或いは、警察車両であることができる。発信されるシグナル、例えば、点灯された回転灯などによって示されるこれらの車両の高いプライオリティが、ＡＣＣシステムを装備している他の車両の加速プロセス、及び／或いは、減速プロセスの設定の際に、認識され、エンジン、及び／又はブレーキの制御、乃至、帰還制御において考慮されることが可能である。ＡＣＣシステムを装備した車両の、救急車、及び／或いは、警察車両に対する特に顧慮ある挙動も、本発明に係る方法によって達成可能である。例えば、高いプライオリティをもった救急車が、無意味なブレーキや加速プロセスから解放され、それにより、運搬される人の安全、及び／或いは、健康が守られることも達成可能である。
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
自動車用の折り畳み式バックミラーアセンブリ（１００）であって、
−  自動車に備え付けられるベース部材（１２０）と、
−  ミラーヘッドと、
−  歯車アセンブリ（２００）を通じて、前記ミラーヘッドをミラー動作状態からミラー折り畳み状態へ、またその逆に、前記ベース部材（１２０）に対して回転駆動するモータ（１５０）とを備え、
前記歯車アセンブリ（２００）は、
−  第１歯車（２１０）及び第２歯車（２５０）と、
−  前記第１歯車（２１０）と前記第２歯車（２５０）とを互いに係合させる第１連結手段（２１６）と、
−  前記第１歯車（２１０）を前記モータ（１５０）と係合させる第２連結手段（２１５）と、
−  前記第２歯車（２５０）を前記ベース部材（１２０）と係合させる第３連結手段（２５５）と、を備え、
前記第１連結手段（２１６）は、前記第１歯車（２１０）と前記第２歯車（２５０）とが、ある回転方向には一緒に回転することを可能にし、逆回転方向には、前記第１歯車（２１０）が前記第２歯車（２５０）に対して回転することを可能にし、
前記第１連結手段（２１６）は、前記第１歯車（２１０）と前記第２歯車（２５０）のうちの少なくとも１つに形成された対応する窪み（２１２）内に収容される少なくとも１つのインターロック部材（２１７）を備え、前記窪み（２１２）は少なくとも１つの傾斜面（２１３）を有し、前記少なくとも１つのインターロック部材（２１７）は、前記第１歯車（２１０）と前記第２歯車（２５０）のうちの少なくとも１つとの接触によって、付勢手段（２１８）に向かって駆動されたときに、インターロック位置／非インターロック位置間で動き、それによって前記第１歯車（２１０）と前記第２歯車（２５０）を１つの方向に一緒に回転させ、前記第１歯車（２１０）と前記第２歯車（２５０）を互いに対して逆方向に回転させることを可能にすることを特徴とする、折り畳み式バックミラーアセンブリ（１００）。
【請求項２】
前記窪み（２１２）は、前記第１歯車（２１０）と前記第２歯車（２５０）のうちの少なくとも１つに装着されるリング（３５０）上に形成されている、請求項１に記載の折り畳み式バックミラーアセンブリ（１００）。
【請求項３】
前記傾斜面（２１３）は、前記歯車（２１０、２５０）の中心（Ｃ）及び前記インターロック部材（２１７）と前記第２歯車（２５０）の接点を通る基準線（Ｒ）に、垂直な接線（Ｔ）に対して、角度を付けて配置され、前記窪み（２１２）内の前記傾斜面（２１３）の勾配は、前記ミラー動作状態に向かう前記ミラーヘッドの回転方向に増大している、請求項１または２に記載の折り畳み式バックミラーアセンブリ（１００）。
【請求項４】
前記インターロック部材（２１７）のうちの少なくとも１つが、対応する前記窪み（２１２）と、前記第１歯車（２１０）及び前記第２歯車（２５０）のうちの１つとの間で、前記付勢手段（２１８）に向かって転がるローラー（２１７ａ）及びボールのうちの１つである、請求項１から３のいずれか一項に記載の折り畳み式バックミラーアセンブリ（１００）。
【請求項５】
前記インターロック部材（２１７）のうちの少なくとも１つが、対応する前記窪み（２１２）と、前記第１歯車（２１０）及び前記第２歯車（２５０）のうちの１つとの間で、前記付勢手段（２１８）に向かってスライドする楔形要素である、請求項１から４のいずれか一項に記載の折り畳み式バックミラーアセンブリ（１００）。
【請求項６】
前記第１連結手段（２１６）は、前記第２歯車（２５０）内に形成された歯（２５１）と連結するために前記第１歯車（２１０）内に形成された歯（２２０）を備える、請求項１から５のいずれか一項に記載の折り畳み式バックミラーアセンブリ（１００）。
【請求項７】
第１の底角（α）は、前記第２歯車（２５０）の前記歯（２５１）内に８４°から９０°の範囲で規定され、第２の底角（β）は、１５°から６０°の範囲で規定され、前記底角（α、β）は、前記第２歯車（２５０）の上端面（２５２）に対する前記歯（２１５）の対向する壁によって規定される、請求項６に記載の折り畳み式バックミラーアセンブリ（１００）。
【請求項８】
前記第３連結手段（２５５）は、前記ベース部材（１２０）内に形成された複数の窪み（１２５）及び、前記第２歯車（２５０）内に形成された対応する突起（２５６）を備える、請求項１から７のいずれか一項に記載の折り畳み式バックミラーアセンブリ（１００）。
【請求項９】
第１の底角（γ）は、前記第２歯車（２５０）の突起（２５６）内に３０°から６０°の範囲で規定され、第２の底角（δ）は、３０°から６０°の範囲で規定され、前記底角（γ、δ）は、前記第２歯車（２５０）の下端面（２５３）に対する前記歯（２５６）の対向する壁によって規定される、請求項６に記載の折り畳み式バックミラーアセンブリ（１００）。
【請求項１０】
前記インターロック部材（２１７）は、前記第１歯車（２１０）と前記第２歯車（２５０）の間で、前記第１歯車（２１０）と前記第２歯車（２５０）に接触するように配置された連結部（２１７ｂ）を備え、それによって、前記第１歯車（２１０）と前記第２歯車（２５０）が１つの回転方向に回転されたときに、前記第１歯車（２１０）と前記第２歯車（２５０）が前記回転方向に一緒に回転可能な角度位置に、前記連結部（２１７ｂ）が回転され、前記第１歯車（２１０）と前記第２歯車（２５０）が逆回転方向に回転されたときに、前記第１歯車（２１０）と前記第２歯車（２５０）が互いに対して回転可能な角度位置に、前記連結部（２１７ｂ）が回転される、請求項１に記載の折り畳み式バックミラーアセンブリ（１００）。
【請求項１１】
前記第１連結手段（２１６）は、前記ミラーを折り畳み位置から動作位置にするため、前記第１歯車（２１０）の前記第２歯車（２５０）への１つの方向への相対的回転を可能にし、前記第１歯車（２１０）が前記モータ（１５０）によって作動されるときに、前記第１歯車（２１０）と前記第２歯車（２５０）の逆方向への一緒の回転を可能にする、請求項１から１０のいずれか一項に記載の折り畳み式バックミラーアセンブリ（１００）。
【請求項１２】
前記モータ（１５０）を取り囲むモータハウジング（１３０）を前記ベース部材（１２０）に対して押し付ける主バネ（２７０）をさらに含む、請求項１から１１のいずれか一項に記載の折り畳み式バックミラーアセンブリ（１００）。
【請求項１３】
前記モータハウジング（１３０）の相対的回転を促進するスライド軌道をさらに含む、請求項１２に記載の折り畳み式バックミラーアセンブリ（１００）。
【請求項１４】
スライド軌道（２７１）は、前記主バネ（２７０）の一端と前記モータハウジング（１３０）との間に提供される、請求項１３に記載の折り畳み式バックミラーアセンブリ（１００）。
【請求項１５】
スライド軌道（２７２）は、前記歯車アセンブリ（２００）の前記第１歯車（２１０）と第２歯車（２５０）との間に提供される、請求項１３または１４に記載の折り畳み式バックミラーアセンブリ（１００）。
【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
ＰＸＲＤパターンにおいて表１ａ、２ａ、３ａ及び４ａのいずれか１つに記載されている２θの値に特徴的ピークを有する化合物Ｉの結晶形。
【請求項２】
図１〜４のいずれか１つに記載されているようにＰＸＲＤパターンにおいて特徴的ピークを有する化合物Ｉの結晶形。
【請求項３】
ＰＸＲＤパターンにおいて明細書中に記載されている特徴的ピークを有する化合物Ｉの結晶形。
【請求項４】
ＰＸＲＤパターンにおいて８．４、８．９、１１．１、１２．２、１４．５、１５、１５．９、１７．４、１７．８及び２２．２の２θの値（°２θ）に特徴的ピークを有する化合物Ｉの結晶形。
【請求項５】
ＰＸＲＤパターンにおいて８．４、８．９、１０．２、１１．１、１２．２、１２．５、１３．２、１３．７、１４．５、１５、１５．５、１５．９、１７．４、１７．８、１９．６、１９．９、２１．１、２２．２、２２．７及び２３．９の２θの値（°２θ）に特徴的ピークを有する化合物Ｉの結晶形。
【請求項６】
ＰＸＲＤパターンにおいて６．７、８．４、８．９、９．９、１０．２、１１．１、１２．２、１２．５、１３．２、１３．７、１４．５、１５、１５．５、１５．９、１７．４、１７．８、１８．１、１８．９、１９、１９．６、１９．９、２１．１、２１．８、２２．２、２２．７、２２．８、２３．２、２３．９、２４．６及び２５．１の２θの値（°２θ）に特徴的ピークを有する化合物Ｉの結晶形。
【請求項７】
請求項１〜６のいずれか１項に記載されている結晶形を含む組成物。
【請求項８】
請求項１〜６のいずれか１項に記載されている結晶形を溶解させることを含む化合物Ｉを含む医薬組成物の作成方法。
【請求項９】
請求項１〜６のいずれか１項に記載されている結晶形を溶媒中に溶解して、溶液を形成することを含む化合物Ｉを含む医薬組成物の作成方法。
【請求項１０】
溶液がさらに賦形剤を含む、請求項９に記載されている方法。
【請求項１１】
溶液がさらに界面活性剤を含む、請求項９または１０に記載されている方法。
【請求項１２】
溶液を噴霧乾燥して固体分散体を作成することをさらに含む、請求項９〜１１のいずれか１項に記載されている方法。
【請求項１３】
溶液を凍結乾燥して固体分散体を作成することをさらに含む、請求項９〜１１のいずれか１項に記載されている方法。
【請求項１４】
請求項１〜６のいずれか１項に記載されている結晶形を溶融した親水性ポリマー中に溶解して、溶融物を形成することを含む化合物Ｉを含む医薬組成物の作成方法。
【請求項１５】
溶融物がさらに賦形剤を含む、請求項１４に記載されている方法。
【請求項１６】
溶融物がさらに界面活性剤を含む、請求項１４または１５に記載されている方法。
【請求項１７】
親水性ポリマーがコポビドンである、請求項１４〜１６のいずれか１項に記載されている方法。